(57)【要約】【課題】手動ズーム操作を自動操作に簡単に切り替えることができる電動ズーム装置を提供する。【解決手段】レンズユニット１４には、撮影レンズ２０及びＣＣＤ２１が収納されており、外周に手動操作用のズームリング２３が配されている。デジタルカメラ１１には、カメラボディ１３の前面にマウント部１６が設けられており、レンズユニット１４が着脱自在に装着される。また、レンズユニット１４には、外周に電動ズーム装置１３が着脱自在に装着される。電動ズーム装置１３には、ズームリング２３を回転させる回転体２８、及び、テレ／ワイドボタン３０，３１が配されており、また、レンズユニット１４から電源を供給するための接続部２９が設けられている。【選択図】図１
2007108373.tif 000002
【特許請求の範囲】
【請求項１】
被写体の光学的な像を形成する撮影光学系と、前記撮影光学系を保持するレンズ鏡筒と、前記レンズ鏡筒の外周に設けられたズームリングと、前記レンズ鏡筒に内蔵され、前記ズームリングの回転操作に連動して、前記撮影光学系を構成する複数のレンズ群のうちの少なくとも１つのレンズ群を撮影光軸方向に移動して前記撮影光学系の焦点距離を変更するレンズ案内手段と、を備えたズームレンズ装置に着脱自在に取り付けられる電動ズーム装置において、
アクチュエータと、
前記ズームリングに接する回転体を有し、前記アクチュエータから得られる回転力を前記回転体を介して前記ズームリングに伝達する駆動伝達手段と、
前記回転体が前記ズームリングの表面に接するように、前記レンズ鏡筒の外部に着脱自在に固定するための固定手段と、
を備えたことを特徴とする電動ズーム装置。
【請求項２】
前記ズームレンズ装置には、前記ズームリングの操作量に応じて変更される前記撮影光学系のズーム位置を検出するズーム位置検出手段を備えていることを特徴とする請求項１記載の電動ズーム装置。
【請求項３】
前記回転体は、前記ズームリングの表面との間に生じる摩擦を利用して回転力を伝達することを特徴とする請求項１又は２記載の電動ズーム装置。
【請求項４】
前記回転体は、前記ズームリングの表面にその回転方向に列を成して設けた歯列に嵌合する歯車であることを特徴とする請求項１ないし３いずれか記載の電動ズーム装置。
【請求項５】
前記ズームレンズ装置には、カメラボディの前面に設けたボディマウント部に着脱自在に取り付けられるレンズマウント部が設けられており、
前記固定手段は、カメラボディとズームレンズ装置との間に介在される中間部材の前後面にそれぞれ設けられ前記レンズマウント部が着脱自在に装着される前マウント部と、前記ボディマウント部に着脱自在に装着される後マウント部とで構成されていることを特徴とする請求項１ないし４記載の電動ズーム装置。
【請求項６】
前記ズームレンズ装置には、撮影光学系により形成される像を画像信号に変換する撮像センサを備えており、
前記前及び後マウント部には、前記ズームレンズ装置から前記カメラボディに信号を中継するために前記レンズマウント部とボディマウント部とに設けた接点群に接する中継用接点群がそれぞれ設けられていることを特徴とする請求項５記載の電動ズーム装置。
【請求項７】
前記ボディマウント部には、前記接点群を覆う遮蔽位置と外部に露呈するように前記接点群から退避する退避位置との間で移動自在な遮蔽部材が設けられており、
前記後マウント部は、ボディマウント部に装着されたときに、前記遮蔽部材を遮蔽位置から前記退避位置に移動させることを特徴とする請求項６記載の電動ズーム装置。
【発明の詳細な説明】
【技術分野】
【０００１】
本発明は、手動操作用のズームリングを有するズームレンズ鏡筒又はそれを備えたカメラに着脱自在に取り付けられ、前記ズームリングを自動的に回転する電動ズーム装置に関するものである。
【背景技術】
【０００２】
デジタルカメラは、被写体の光学的な像を形成する撮影光学系、撮影光学系により形成される像を画像信号に変換するＣＣＤ等の撮像センサ、及び、撮像センサから得られる画像信号等の情報を記録するメモリカード等の情報記録部とを備えている。このようなデジタルカメラには、カメラボディに撮像センサを内蔵しており、撮影光学系を保持するレンズ鏡筒が一体的に取り付けられているタイプと、レンズ鏡筒を取り外すことができ、焦点距離の異なるものと交換することができるタイプとがある。後者の方は、カメラボディにレンズ鏡筒を取り付けるためのマウント部を備えている。しかし、カメラボディにマウント部を設けると、カメラボディ内に埃等が入り、撮像センサやその周辺の部品に埃が付着して撮影画像の画質が劣化するという問題があった。このため、レンズ鏡筒に撮像センサを内蔵したレンズユニットを着脱自在に取り付けるタイプのデジタルカメラ（例えば、特許文献１及び特許文献２参照）で、カメラボディの装着部に開閉蓋が設けられているものが知られている（特許文献１）。
【０００３】
ところで、従来、手動操作用のズームリングを有したズームレンズ鏡筒及びそれをもつカメラが知られている。このようなズームリングは、手動で回転操作されるが、時には自動的に操作することができるように構成がなされているのが簡便でよい。
【０００４】
ズーム操作を電動又は手段とのいずれかに使い分けることができるズームレンズが知られている（特許文献３）。このズームレンズは、例えばテレビ放送用ズームレンズ装置であり、電動で使うときにはサーボモジュールを、また手動で使う場合にはフレキモジュールを、レンズ装置本体に取り付ける。レンズ装置本体には、レンズを移動させるための回転力を入力するための駆動軸が内蔵されており、サーボモジュールには、その駆動軸に連結される出力軸、出力軸に回転を伝達するモータ、そのモータの制御を行う制御回路、モータ出力軸の回転角を電気信号に変換する、例えばポテンショメータからなる位置センサ、及び、制御回路にズーム指令を与えるレンズ操作部とを備えている。
【０００５】
一方、フレキモジュールは、操作者による操作力又は操作トルクを、レンズ装置本体の駆動軸を回転させるトルクに変換・伝達する機構を有する。
【特許文献１】特開２００４−１０９９７０号公報
【特許文献２】特開２００５−２１５５２１号公報
【特許文献３】特開平８−３２７８７９号公報
【発明の開示】
【発明が解決しようとする課題】
【０００６】
しかしながら、上記特許文献３に記載されているズームレンズでは、サーボモジュールを取り付けるときに、一々フレキモジュールを取り外す作業が伴うため、手間がかかる。
【０００７】
本発明は上記事情に鑑みてなされたものであり、手動と電動との操作を簡便に変更することができる電動ズーム装置を提供することを目的とする。
【課題を解決するための手段】
【０００８】
上記課題を解決するために、本発明の電動ズーム装置には、アクチュエータと；レンズ鏡筒の外部に着脱自在に固定するための固定手段と；前記固定手段により前記レンズ鏡筒に固定したときにズームリングに接する回転体を有し、前記アクチュエータから得られる回転力を前記ズームリングに伝達する駆動伝達手段と；を備えたものである。
【０００９】
ところで、ズームレンズ装置には、焦点距離を変えたときにピントがずれないようにするために、変倍時に移動するレンズ群とは異なるレンズ群をフォーカスモータの駆動により光軸方向に移動してフォーカスの補正を行うタイプがある。また、焦点距離に応じてフォーカスレンズ群の移動量を変えるタイプもある。さらに、焦点距離に応じてレンズの明るさ（Ｆナンバー）が変わるため、焦点距離に応じて露出制御を変更するタイプもある。このような場合、現時点の焦点距離を知っておく必要がある。そこで、前記ズームリングの操作量、又はレンズ案内手段の案内量、あるいは、変倍時に移動するレンズ群の移動量を検出して、撮影光学系の焦点距離の情報を常に認識するために、ズームリングの操作量に応じて変更される前記撮影光学系のズーム位置を検出するズーム位置検出手段がズームレンズ装置に設けられている。
【００１０】
回転体としては、ズームリングの表面との間に生じる摩擦を利用して回転力を伝達してもよいし、また、ズームリングの表面にその回転方向に列を成して設けた歯列に嵌合する歯車としてもよい。
【００１１】
電動ズーム装置としては、レンズ鏡筒の外周に着脱自在に取り付けられる構成としてもよいし、カメラボディとズームレンズ装置との間に着脱自在に介在される構成であってもよい。後者の場合には、カメラボディの前面に設けたボディマウント部に着脱自在に取り付けられるレンズマウント部がズームレンズ装置に設けられており、前記固定手段は、カメラボディとズームレンズ装置との間に介在される中間部材の前後面にそれぞれ設けられ前記レンズマウント部が着脱自在に装着される前マウント部と、前記ボディマウント部に着脱自在に装着される後マウント部と、で構成すればよい。
【００１２】
また、撮影光学系により形成される像を画像信号に変換する撮像センサを備えたズームレンズ装置が知られている。この場合には、画像信号などの情報を、カメラボディに伝達して、カメラボディに設けた記録部に記録する必要がある。そこで、固定手段を構成する前及び後マウント部には、ズームレンズ装置からカメラボディに信号を中継するためにレンズマウント部とボディマウント部とに設けた接点群にそれぞれ電気的に接触する前及び後中継用接点群を設けるのが望ましい。
【００１３】
レンズ交換式のカメラでは、レンズを取り外すと、カメラボディのボディマウント部に設けた接点群が外部に露呈し、ここに手の油や埃等が付着して接触不良が起こるおそれがある。このため、接点群を覆う遮蔽位置と外部に露呈するように前記接点群から退避する退避位置との間で移動自在な遮蔽部材をボディマウント部に設けることで接触不良を防ぐことができる。この場合には、ボディマウント部に装着されたときに後マウント部の一部により前記遮蔽部材を遮蔽位置から前記退避位置に移動させ、移動後に接点群同士が接触する構成にするのが好適である。
【発明の効果】
【００１４】
本発明の電動ズーム装置によれば、回転体がズームリングの表面に接するように、レンズ鏡筒の外部に着脱自在に固定するための固定手段を備えたから、電動で使う場合には、取り付けるだけでよく、また手動に変更するときには取り外すだけでよいので、手動と電動との使い分けが簡便になる。
【発明を実施するための最良の形態】
【００１５】
図１に示すカメラシステム１０は、デジタルカメラ１１と電動ズーム装置１２とから構成される。デジタルカメラ１１は、レンズ交換式のカメラであり、カメラボディ１３にレンズユニット１４を着脱自在に取り付けて使用する。レンズユニット１４は、後端にレンズマウント部１５を有し、そのレンズマウント部１５をカメラボディ１３の前面に設けたボディマウント部１６に係止される。マウント結合は、レンズユニット１４を撮影光軸１７と平行な方向に移動してレンズマウント部１５をボディマウント部１６に嵌合し、その後は、レンズユニット１４を所定方向に所定角度だけ回転させることで成される。このようなマウント部同士の結合としては、周知のネジ式のスクリューマウントや複数の爪をもつバヨネットマウントなどを採用することができる。
【００１６】
なお、レンズユニット１４としては、焦点距離の異なるものや、ズーム操作が手動か自動かなど種類の異なるものが多数用意されている。ここでは、ズームレンズで、且つズーム操作が手動式のものをレンズユニット（ズームレンズ装置）１４として説明する。
【００１７】
電動ズーム装置１２は、レンズ鏡筒１８の外周に着脱自在に取り付けられる。取り付けることで、レンズユニット１４のズーム操作を自動で行うことができる。
【００１８】
レンズユニット１４には、内部に、撮影光学系２０、ＣＣＤ（撮像センサ）２１、レンズ案内手段等を内蔵しており、また、レンズ鏡筒１８の外部には手動操作用のズームリング２３が配されている。撮影光学系２０は、複数のレンズ群で構成したズームレンズであり、被写体の光学的な像をＣＣＤ２１の受光面に形成する。複数のレンズ群はレンズ鏡筒１８に保持されている。ＣＣＤ２１は、撮影光学系２０により形成される像を画像信号に変換する。レンズ案内手段２４（図２参照）は、ズームリング２３の回動操作に連動して、レンズ鏡筒１８に内蔵した周知のカム機構やヘリコイド機構により撮影光学系２０を構成する一部のレンズ群を撮影光軸１７の方向に移動して、撮影光学系２０の焦点距離を可変する。
【００１９】
レンズ鏡筒１８は、円筒形状となっている。ズームリング２３は、レンズ鏡筒１８の外周面から周方向に沿って一段突出した環形状となっており、撮影光軸１７を中心に回動する。なお、レンズ鏡筒１８の中心軸に対して撮影光軸をズラして撮影光学系をレンズ鏡筒に配したレンズユニットの場合には、ズームリングはレンズ鏡筒の中心軸を中心に回転する。
【００２０】
電動ズーム装置１２は、外ケース２５の外部に、一対の取り付けネジ２６，２７、回転体２８、接続部２９、テレ及びワイドボタン３０，３１を配した形状となっている。外ケース２５は、ズームリング２３の一部を覆う凹部３２と、レンズ鏡筒１８の外面のうちのズームリング２３を挟んだ両面に接する一対の取り付け面３３，３４とをもつ略断面コ字形状になっている。一対の取り付け面３３，３４には、一対の取り付けネジ２６，２７のネジ部がそれぞれ突出して設けられている。一対のネジ部は、レンズ鏡筒１８の外周に設けた一対のネジ穴３６，３７に係合する。一対の取り付けネジ２６，２７のネジ頭は、外ケース２５の上面に露呈されており、取り付けネジ２６，２７は、ネジ頭を手動で回転させることでネジ部がネジ穴３６，３７に締め付けられる。これら一対の取り付けネジ２６，２７が着脱自在な固定手段を構成する。
【００２１】
回転体２８は、凹部３２の底面に設けた開口から一部が露呈して設けられており、外ケース２５をレンズ鏡筒１８に取り付けることで回転体２８の周面がズームリング２３の周面に接する。ズームリング２３は、回転方向のうちの一方への回転により、撮影光学系２０の焦点距離をテレ方向に向けて変更し、また他方への回転によりワイド方向に向けて変更する。テレ及びワイドボタン３０，３１は、回転体２８の回転方向を変えてズームの方向を指定するための操作部である。
【００２２】
接続部２９は、例えば弾性自在な板バネを複数設けた構成になっており、外ケース２５の内部に設けたアクチュエータ３８（図２参照）への電源をレンズユニット１４から供給するとともに、レンズユニット１４に設けたレンズ側ＣＰＵ４０（図３参照）にテレ及びワイドボタン３０，３１から得られる操作信号を供給するためのものである。板バネは、導電性の材料で折り曲げ形成されており、外ケース２５をレンズ鏡筒１８に取り付けることでレンズ鏡筒１８の外周に設けた複数の接点からなるレンズ側接続部４１に接触する。
【００２３】
なお、レンズマウント部１５とボディマウント部１６とには、それぞれ複数の接点からなる接点群４３，４４が設けられており、レンズユニット１４をカメラボディ１３に取り付けたときには、接点群４３，４４同士が接続されて電気的な接続がなされる。
【００２４】
なお、レンズユニット１４を取り外すと、カメラボディ１３のボディマウント部１６に設けた接点群４４が外部に露呈し、ここに手の油や埃等が付着して接触不良が起こるおそれがある。このため、ボディマウント部１６には、遮蔽部材４５が設けられている。遮蔽部材４５は、接点群４４を覆う遮蔽位置と外部に露呈するように接点群４４から退避する退避位置との間で移動自在になっている。この遮蔽部材４５は、レンズマウント部１５が装着されたときに遮蔽位置から退避位置に移動する。退避位置に移動すると、接点群４３，４４同士が接触する。そして、レンズユニット１４を取り外すと、遮蔽部材４５が接点群４４を遮蔽するため、接触不良を防ぐことができる。
【００２５】
図２に示すように、電動ズーム装置１２には、アクチュエータ３８、回転体２８、及び接続部２９が設けられている。アクチュエータ３８としては、例えばモータである。回転体２８には、アクチュエータ３８から得られる回転が伝達される。回転体２８は、外周にゴムなどの弾性部材が被されており、ズームリング２３の表面との摩擦抵抗が大きくなるように工夫されている。
【００２６】
レンズユニット１４には、エンコーダ４６、アクチュエータ用ドライバ４７、フォーカス用モータ４８、フォーカスモータ用ドライバ４９、及び、レンズ基板５０などが内蔵されている。レンズ基板５０には、ＣＣＤ２１やレンズ側ＣＰＵ４０（図３参照）が設けられている。エンコーダ４６は、アブソリュートタイプの２相出力型であり、ズームリング２３の回転方向及び絶対値となる回転位置を検出し、これらをズーム情報としてレンズ側ＣＰＵ４０に送る。レンズ側ＣＰＵ４０に送られるズーム情報は、例えば撮影光学系２０のズーム位置がテレ端又はワイド端に至ったときにアクチュエータ３８の駆動を強制的に停止するときに使用する。また、ズーム位置によって撮影光学系２０の明るさ（Ｆナンバ）が変わるため、ＡＥ制御に利用する。レンズ側ＣＰＵ４０には、エンコーダ４６以外にアクチュエータ用ドライバ４７が接続されている。レンズ側ＣＰＵ４０は、テレ及びワイドボタン３０，３１から得られる操作信号に応じて、アクチュエータ３８の駆動時間及び回転方向を制御するように、アクチュエータ用ドライバ４７を駆動する。
【００２７】
また、レンズ側ＣＰＵ４０は、詳しくは後述する積算回路（オートフォーカス回路）から得られるＡＦ信号に基づいてドライバ４９を介してフォーカス用モータ４８の駆動を制御する。フォーカス用モータ４８の駆動は、フォーカス用案内手段５２に入力される。フォーカス用案内手段５２は、例えばカム機構又はヘリコイドあるいはネジ軸機構などで構成されており、フォーカス用モータ４８から入力される回転を利用して撮影光学系２０の一部のレンズ群を撮影光軸１７の方向に移動して撮影光学系２０のピントを被写体に合わせる。
【００２８】
図３に示すように、レンズ基板５０には、ＣＣＤ２１やレンズ側ＣＰＵ４０以外に、ＲＯＭ５２、ＲＡＭ５３、圧縮回路５４、インターフェイス（Ｉ／Ｆ）ドライバ５５、積算回路５６、及び、デジタル信号処理５７などを備え、これらは伝送路（バス）５８に接続されている。また、レンズ基板５０には、ＣＣＤ２１から得られる画像信号をデジタルの画像信号に変換して、予め決められた圧縮形式に圧縮するまで処理を行う回路、すなわち、アナログ信号処理５９、Ａ／Ｄ（アナログ／デジタル変換器）６０、デジタル信号処理５７、及び、圧縮回路５４などを備える。アナログ信号処理は、被写体像を電気変換した画像信号をサンプルホールドしてＡ／Ｄ６０に送る。Ａ／Ｄ６０は、サンプルホールドした画像データをデジタル化し、デジタルの画像データとしてデジタル信号処理５７に送る。デジタル信号処理５７から出力される記録用の画像データは圧縮回路５４で圧縮され、圧縮した画像データは、記録用画像データとしてＩ／Ｆドライバ５５を介して高速な通信でカメラボディ１３の側に送られる。勿論この間には、レンズマウント部１５の接点群４３とボディマウント部１６の接点群４４とを通る。また、デジタル信号処理５７から得られるスルー画像用の画像データは、バス５８，Ｉ／Ｆドライバ５５を介してカメラボディ１３に送られる。
【００２９】
また、積算回路５６は、Ａ／Ｄ６０から得られるデジタルの画像信号を取り込んで、コントラス式のＡＦ制御、及びＡＥ制御を行う。積算回路５６で得た測距情報は、ＡＦ信号としてレンズ側ＣＰＵ４０に送られる。また、積算回路５６で得た測光情報は、ＡＥ信号としてレンズ側ＣＰＵ４０に送られ、レンズ側ＣＰＵ４０は、ＡＥ信号に基づいて、図示していない絞り用ドライバを介して撮影光学系２０に設けた絞りを制御する。
【００３０】
カメラボディ１３には、ボディ基板６１（図２参照）が内蔵されており、ボディ基板６１には、ボディ側ＣＰＵ６１、Ｉ／Ｆドライバ６２、ＲＯＭ６３、ＲＡＭ６４、伸長回路６５、カードＩ／Ｆ６６、及び、フレームメモリ６７等が設けられており、これらはボディ側ＣＰＵ６１を通さずに各回路間でデータをやり取りするための伝送路（バス）６８に接続されている。レンズユニット１４から高速で送られてくる記録用の画像データは、Ｉ／Ｆドライバ６２からバス６８を通ってカードＩ／Ｆ６６に送られ、カードＩ／Ｆ６６に接続したメモリカード７０に記録される。このメモリカード７０は、スロット７１に着脱自在に取り付けられている。なお、記録用の画像データとしては、静止画又は動画との２種類がある。また、レンズユニット１４から送られるスルー画像用の画像データは、フレームメモリ６７に蓄積された後に、ＬＣＤ用のドライバ７２を介してカメラボディ１３の背面に設けたＬＣＤ７３に送られる。これにより、ＬＣＤ７３には、ＣＣＤ２１で撮像した被写体像が表示される。
【００３１】
カメラボディ１３には、レリーズボタン７４、モード切替操作部７５、及び、電源スイッチ７６（図２参照）が設けられている。モード切替操作部７５は、撮影モードと再生モードとのうちのいずれか一方のモードを指定する操作部である。ここで指定したモード情報は、モード切替操作部７５から接点群４３，４４を通ってレンズ側ＣＰＵ４０に送られる。撮影モードが指定されたときには、レンズ側ＣＰＵ４０が統括的な制御を行い、レンズユニット１４の側に設けたＲＯＭ５２に記憶した撮影用プログラムを実行して前述したスルー画表示、及び、画像記録など撮影に関する処理を行うように各部を制御する。画像記録は、レリーズボタン７４のレリーズ操作に応じて処理が実行される。レリーズボタン７４から得られるレリーズ信号は、接点群４３，４４を通ってレンズ側ＣＰＵ４０に送られる。
【００３２】
また、再生モードを指定した時には、レンズ側ＣＰＵ４０からボディ側ＣＰＵ６１に制御を移管する。ボディ側ＣＰＵ６１は、カメラボディ側のＲＯＭ６３に予め記憶した再生用プログラムを実行し、予めメモリカード７０に記憶した画像データを読み出して伸長回路６５で伸長した後にＬＣＤ７３に表示するように各部を制御する。
【００３３】
カメラボディ１３には、図２に示したように、バッテリ８０が着脱自在に取り付けられている。バッテリ８０からの電源は、電源制御部８１を介してＤＣ／ＤＣ回路８２に供給され、ここからカメラボディ１３とレンズユニット１４とに電源供給される。電源スイッチ７６は、電源制御部８１の作動をＯＮ−ＯＦＦする。
【００３４】
デジタルカメラは、レンズユニット１４を取り付けた後に電源スイッチ７６をＯＮすることで、各部に電源が供給される。そして、このときのモード切替操作部７５の指定、又はその後のモード切替操作部７５の切り替え操作に応じて、撮影又は再生プログラムが実行される。
【００３５】
撮影モードを指定すると、レンズ側ＣＰＵ４０は、ＣＣＤ２１で撮像した画像信号に基づいてピントを調節し、また、ＣＣＤ２１から連続して得られる画像信号をスルー画像としてＬＣＤ７３に表示する。また、レンズユニット１４のズームリング２３を手動で回転させることで撮影光学系２０の焦点距離が可変する。
【００３６】
電動ズーム装置１２をレンズユニット１４に取り付けると、接続部２９がレンズ側接続部４１に接続されて、アクチュエータ３８への電源供給用の回路と、テレ及びワイドボタン３０，３１からの操作信号をレンズ側ＣＰＵ４０に送るための回路とが形成される。また、凹部３２がズームリング２３の一部を跨ぐように覆い、凹部３２の底面に配した回転体２８がズームリング２３の表面に押し付けられる。その後、テレ又はワイドボタン３０，３１を押下操作することで、アクチュエータ３８が駆動してその回転が回転体２８に伝達されることでズームリング２３が自動的に回転する。
【００３７】
ズームリング２３が回転すると、レンズユニット１４に設けたエンコーダ４６がズームリング２３の回転方向及び回転角を検出し、それらを含むズーム情報がレンズ側ＣＰＵ４０に送られる。レンズ側ＣＰＵ４０は、そのズーム情報を、撮影時のＡＥ制御、及び、テレ端又はワイド端に至ったときのアクチュエータ３８の駆動を停止する制御に利用する。
【００３８】
電動ズーム装置９１としては、図４に示すように、カメラボディ１３とレンズユニット１４との間に介在される中間部材（中間リング）９０に、アクチュエータや操作部などの電動ズーム機構を内蔵してもよい。中間部材９０は、円板状をしており、前後面には、レンズマウント部１５が着脱自在に装着される前マウント部９２と、ボディマウント部１６に着脱自在に装着される後マウント部９３とが設けられている。前及び後マウント部９２，９３には、レンズユニット１４からカメラボディ１３に信号を中継するために、レンズマウント部１５とボディマウント部１６とに設けた接点群４３、４４にそれぞれ接する中継用接点群９４，９５がそれぞれ設けられている。
【００３９】
また、中継用接点群９４には、アクチュエータへの電源供給用の回路と、テレ及びワイドボタン９６，９７からの操作信号をレンズ側ＣＰＵ４０に送るための回路とを、レンズユニット１４との間で形成するための端子部を含む。この中間部材９０の前後面は、塞がれている。これは、ＣＣＤ２１がレンズユニット１４に内蔵しており、被写体光をカメラボディ１３に向けて通過させるための開口を必要としないためである。
【００４０】
この電動ズーム装置９１は、中間部材９０から横に張り出した位置に、外ケース１００が一体的に設けられている。外ケース１００には、ＤＣモータ１０１や減速機構が内蔵されている。減速機構の入力軸にはＤＣモータ１０１の出力軸が噛合している。減速機構の出力軸１０２は、外ケース１００からレンズユニット１４に向けて突出しており、その出力軸１０２の先端に回転体１０３が固定されている。回転体１０３は、中間部材９０を取り付けたときに外周がズームリング２３の表面に接する。この回転体１０３としては、樹脂成形の円板の外周にゴムなどを被せた形態で構成されている。なお、ズームリング２３の外周にその回転方向に沿って歯列を形成し、また、回転体１０３を歯車にして互いを噛合させてもよい。この場合、レンズユニット１４を撮影光軸１７と平行な方向に移動してレンズマウント部１５を中間部材９０の前マウント部９２に嵌合することで、互いの歯列が噛合する。
【００４１】
また、ＤＣモータ１０１は、固定子と回転子とを内蔵した円筒部が大きく、円筒部若しくは円筒部を覆うカバー部が外ケース１００から出っ張る。そこで、外ケース１００に対してＤＣモータ１０１の円筒部又はカバー部と、回転体１０３との出っ張り方向を揃えると、より一層の小型化を達成することができる。なお、小型なモータを用いる場合には、モータを中間部材９０に内蔵することができ、電動ズーム装置９１をさらにコンパクトにすることができる。なお、電動ズーム装置としては、中間部材９０を省略した形態としてもよい。この場合には、レンズ鏡筒１８の外周に固定手段で着脱自在に取り付けるように構成すればよい。
【００４２】
上記各実施形態の電動ズーム装置１２，９１では、デジタルカメラ１１に用いるレンズユニット１４に取り付けられることを例に説明したが、ビデオカメラや写真用カメラのズームレンズ装置にも採用することができるのは言うまでもない。また、レンズユニット１４としては、ズーム機構が手動式となっているものに限らず、ズーム操作を自動と手動とを切り替えて使用するタイプで、手動時に使用するズームリングがレンズ鏡筒の外周に設け設けられているタイプにも採用することができる。この場合、カメラボディ側にズーム操作部があるので電動ズーム装置を使用することは考えにくいが、レンズ鏡筒側にズーム操作部が合った方が操作易い形状、又は重量バランス面で持ち易いなどのカメラでは、電動ズーム装置を使用する方が好適である。
【００４３】
また、回転体２８，１０３として、ズームリング２３の外面との間で生じる摩擦によりズームリング２３を回転させるタイプの場合には、ズームリング２３の外面に凹凸を形成するのも効果的である。また、スリップしたとしても、エンコーダ４６をレンズユニット１４に設け、そのエンコーダ４６でズームリング２３の回転を監視する構成にしているから、回転体２８とズームリング２３との間でスリップしてもズーム情報には誤差が生じなく、常に正確なズーム情報を得ることができる。
【００４４】
さらに、上記実施形態において、撮像素子としてＣＣＤ２１を用いる場合を例に説明したが、これに限るものではなく、例えば、ＣＭＯＳイメージセンサを用いても良い。
【図面の簡単な説明】
【００４５】
【図１】デジタルカメラと電動ズーム装置との外観を示す斜視図である。
【図２】デジタルカメラと電動ズーム装置との電気的接続の概略を示す説明図である。
【図３】レンズ側基板とカメラボディ側基板との回路構成を示す説明図である。
【図４】電動ズーム装置の別の実施形態を示す斜視図である。
【符号の説明】
【００４６】
１０  カメラシステム
１１  デジタルカメラ
１２，９１  電動ズーム装置
１３  カメラボディ
１４  レンズユニット
２０  撮影光学系
２３  ズームリング
２８，１０３  回転体
３０，３１、９６，９７  テレ及びワイドボタン
【図１】
2007108373.tif 000003
【図２】
2007108373.tif 000004
【図３】
2007108373.tif 000005
【図４】
2007108373.tif 000006